(57)【要約】      （修正有）【課題】ラインタイプの照明モジュールが長さ方向に連結された複数のフレームに沿って自由にスライディングすることができる照明装置を提供する。【解決手段】一面に接続端子２１０が形成されたラインタイプの照明モジュール２００が結合することができる収容空間１１１が形成され、長さ方向に連結されるフレーム１１０と、収容空間１１１内で照明モジュール２００の接続端子２１０に対応する面に配置される電源供給用電源端子１２０と、電源端子１２０を囲む絶縁部材１３０と、電源端子１２０を露出させる開口溝１３１を含むトラックハウジング１００を含む。トラックハウジング１００は、互いに隣合う一対のフレーム１１０の端部に形成されて内部の電源端子１２０を露出させる挿入溝と、挿入溝に挿入されて一対のフレーム１１０の電源端子１２０を電気的に連結する接続片を含む。【選択図】図１
2016127027.tif 000002
【特許請求の範囲】
【請求項１】
少なくとも一面に電源接続端子が形成されたラインタイプの照明モジュールおよび、
前記照明モジュールが結合することができる収容空間が形成され、複数設けられて長さ方向に連結されるフレームと、前記収容空間内で前記照明モジュールの接続端子に対応する位置に、長さ方向に配置される電源供給用電源端子と、前記電源端子を囲む絶縁部材と、前記照明モジュールの接続端子と向かい合う面に、長さ方向に形成されて電源端子を露出させる開口溝を含むトラックハウジングを含み、
前記トラックハウジングは、互いに隣合う一対のフレームのうちの少なくともいずれか１つのフレームの端部に形成されて内部の電源端子を露出させる挿入溝と、前記挿入溝に挿入されて前記一対のフレームの電源端子を電気的に連結する接続片を含むことを特徴とするラインタイプの照明装置。
【請求項２】
前記挿入溝は、前記開口溝を介して露出した前記電源端子の第１面と隣接するか、反対側に位置する電源端子の第２面に形成されることを特徴とする請求項１に記載のラインタイプの照明装置。
【請求項３】
前記挿入溝は、互いに隣合う一対のフレームの端部にそれぞれ形成され、
前記接続片は、両端部が互いに隣合う一対のフレームの挿入溝にそれぞれ挿入されて、前記一対のフレームの電源端子を電気的に連結することを特徴とする請求項１に記載のラインタイプの照明装置。
【請求項４】
前記接続片と電源端子との接触面のうちの少なくともいずれか１つには、接続突起が突出形成されることを特徴とする請求項３に記載のラインタイプの照明装置。
【請求項５】
前記接続突起は、突出方向に向かって弾力的に支持されることを特徴とする請求項４に記載のラインタイプの照明装置。
【請求項６】
前記接続片には、電源端子の端部に密着する突出顎部が形成されることを特徴とする請求項３に記載のラインタイプの照明装置。
【請求項７】
前記トラックハウジングは、互いに隣合う一対のフレームの端部のうちの少なくともいずれか１つの端部に配置されて、前記電源端子の端部を囲む絶縁挿入部材をさらに含むことを特徴とする請求項１に記載のラインタイプの照明装置。
【請求項８】
前記開口溝に対応する前記絶縁挿入部材の位置には、電源端子を露出させる連結溝が長さ方向に形成されることを特徴とする請求項７に記載のラインタイプの照明装置。
【請求項９】
前記絶縁挿入部材の一端部には、前記電源端子が収容される収容溝が形成され、前記挿入溝は、絶縁挿入部材の他端部に形成されることを特徴とする請求項８に記載のラインタイプの照明装置。
【請求項１０】
前記収容溝と挿入溝のうちの少なくともいずれか１つの内側端部には、電源端子または挿入片の挿入位置を案内するストッパーが形成されることを特徴とする請求項９に記載のラインタイプの照明装置。
【請求項１１】
前記絶縁挿入部材は、互いに隣合う一対のフレームの端部にそれぞれ配置され、
前記接続片は、互いに隣合う両側の絶縁挿入部材の挿入溝にそれぞれ挿入されて、互いに隣合う一対のフレームの電源端子を電気的に連結することを特徴とする請求項９に記載のラインタイプの照明装置。
【請求項１２】
前記接続片と電源端子との接触面のうちの少なくともいずれか１つには、接続突起が突出形成されることを特徴とする請求項１１に記載のラインタイプの照明装置。
【請求項１３】
前記接続突起は、突出方向に弾力的に支持されることを特徴とする請求項１２に記載のラインタイプの照明装置。
【発明の詳細な説明】
【技術分野】
【０００１】
本発明は、ラインタイプの照明装置に関する。より詳細には、ラインタイプの照明モジュールが長さ方向に連結された複数のフレームに沿って自由にスライディングすることができるラインタイプの照明装置に関する。
【背景技術】
【０００２】
一般的な照明に使用している蛍光ランプは、照度が低く、エネルギー効率が落ちるという短所があるため、最近はこれらより相対的に照度が高く、消費電力が低い発光ダイオード（以下、「ＬＥＤ」と総称する）を用いる照明モジュールを多く使用している。
【０００３】
したがって、既存の光源をＬＥＤランプに代替するための多くの研究が進行されており、ＬＥＤランプは、室内外で使用される各種の照明器具、液晶表示装置、電光掲示板および街灯などのような照明装置の光源として使用が増加している傾向である。
【０００４】
特に、最近洗練された形態のラインタイプの要求が増加しており、これに伴ってラインタイプの照明市場が拡大し、様々な形態のバータイプのライン照明が開発されている。
【０００５】
しかし、このような従来のラインタイプの照明装置は、大部分複数のバータイプの照明モジュールを直列に連結して、対象部位に固定設置するものであるから、全体照明システムを設置するための時間および費用が過多にかかるという問題があって、照明モジュールの分離や移動が難しい問題がある。
【０００６】
また、韓国登録特許第１３５１３５８号のように、複数のラインタイプの照明モジュールが複数のトラックハウジングに結合され、電源の供給を受けるとともに、結合状態でトラックハウジングの長さ方向にスライディングすることによって、照明モジュールの移動および維持・補修を容易にしたラインタイプの照明装置が開発されている。
【０００７】
しかし、従来のラインタイプの照明装置は、複数のトラックハウジングの連結部位に両側のトラックハウジングの電源端子を電気的に連結するためのコネクタが配置されているので、照明モジュールの移動範囲が両側のコネクタの間の領域に制限される問題がある。
【先行技術文献】
【特許文献】
【０００８】
【特許文献１】韓国登録特許第１３５１３５８号
【発明の概要】
【発明が解決しようとする課題】
【０００９】
したがって、本発明の目的は、このような従来の問題点を解決するものであって、ラインタイプの照明モジュールが長さ方向に連結された複数のフレームに沿って自由にスライディングすることができるラインタイプの照明装置を提供することにある。
【００１０】
また、トラックハウジングを構成する複数のフレームを簡便に連結することができるラインタイプの照明装置を提供することにある。
【課題を解決するための手段】
【００１１】
前記目的は、本発明により、少なくとも一面に電源接続端子が形成されたラインタイプの照明モジュールおよび、前記照明モジュールが結合することができる収容空間が形成され、複数設けられて長さ方向に連結されるフレームと、前記収容空間内で前記照明モジュールの接続端子に対応する面に、長さ方向に配置される電源供給用電源端子と、前記電源端子を囲む絶縁部材と、前記照明モジュールの接続端子と向かい合う面に、長さ方向に形成されて電源端子を露出させる開口溝を含むトラックハウジングを含み、前記トラックハウジングは、互いに隣合う一対のフレームのうちの少なくともいずれか１つのフレームの端部に形成されて内部の電源端子を露出させる挿入溝と、前記挿入溝に挿入されて前記一対のフレームの電源端子を電気的に連結する接続片を含むことを特徴とするラインタイプの照明装置によって達成される。
【００１２】
ここで、前記挿入溝は、前記開口溝を介して露出した前記電源端子の第１面と隣接するか、反対側に位置する電源端子の第２面に形成されることが好ましい。
【００１３】
また、前記挿入溝は、互いに隣合う一対のフレームの端部にそれぞれ形成され、前記接続片は、両端部が互いに隣合う一対のフレームの挿入溝にそれぞれ挿入されて、前記一対のフレームの電源端子を電気的に連結することが好ましい。
【００１４】
また、前記接続片と電源端子との接触面のうちの少なくともいずれか１つには、接続突起が突出形成されることが好ましい。
【００１５】
また、前記接続突起は、突出方向に向かって弾力的に支持されることが好ましい。
【００１６】
また、前記接続片には、電源端子の端部に密着する突出顎部が形成されることが好ましい。
【００１７】
また、前記トラックハウジングは、互いに隣合う一対のフレームの端部のうちの少なくともいずれか１つの端部に配置されて、前記電源端子の端部を囲む絶縁挿入部材を含むことが好ましい。
【００１８】
また、前記開口溝に対応する前記絶縁挿入部材の位置には、電源端子を露出させる連結溝が長さ方向に形成されることが好ましい。
【００１９】
また、前記絶縁挿入部材の一端部には、前記電源端子が収容される収容溝が形成され、前記挿入溝は、絶縁挿入部材の他端部に形成されることが好ましい。
【００２０】
また、前記収容溝と挿入溝のうちの少なくともいずれか１つの内側端部には、電源端子または挿入片の挿入位置を案内するストッパーが形成されることが好ましい。
【００２１】
また、前記絶縁挿入部材は、互いに隣合う一対のフレームの端部にそれぞれ配置され、前記接続片は、互いに隣合う両側の絶縁挿入部材の挿入溝にそれぞれ挿入されて、互いに隣合う一対のフレームの電源端子を電気的に連結することが好ましい。
【００２２】
また、前記接続片と電源端子のうちの少なくともいずれか１つには、接続突起が突出形成されることが好ましい。
【００２３】
また、前記接続突起は、突出方向に弾力的に支持されることが好ましい。
【発明の効果】
【００２４】
本発明によれば、ラインタイプの照明モジュールが長さ方向に連結された複数のフレームに沿って自由にスライディングすることができるラインタイプの照明装置が提供される。
【００２５】
また、トラックハウジングを構成する複数のフレームを簡便に連結することができるラインタイプの照明装置が提供される。
【図面の簡単な説明】
【００２６】
【図１】本発明の第１実施形態に係るラインタイプの照明装置の斜視図である。
【図２】本発明の第１実施形態に係るラインタイプの照明装置のトラックハウジングの分解斜視図である。
【図３】本発明の第１実施形態に係るラインタイプの照明装置の主要構成を示す断面図である。
【図４】図３のＡ−Ａ’線断面図である。
【図５】図３のＢ−Ｂ’線断面図である。
【図６】本発明の第２実施形態に係るラインタイプの照明装置のトラックハウジングの分解斜視図である。
【図７】本発明の第２実施形態に係るラインタイプの照明装置の主要構成を示す断面図である。
【図８】本発明の第２実施形態に係るラインタイプの照明装置の主要構成を示す断面図である。
【図９】本発明の第３実施形態に係るラインタイプの照明装置の断面図である。
【発明を実施するための形態】
【００２７】
説明に先立ち、様々な実施形態において、同一の構成を有する構成要素については、同一の符号を使用して代表的に第１実施形態で説明し、その他の実施形態においては、第１実施形態と異なる構成について説明することにする。
【００２８】
以下、添付した図面を参照して本発明の第１実施形態に係るラインタイプの照明装置について詳細に説明する。
【００２９】
添付図面のうち、図１は本発明のラインタイプの照明装置の斜視図であり、図２は本発明のラインタイプの照明装置のトラックハウジングの分解斜視図である。
【００３０】
前記図面に示すように、本発明は、ラインタイプの照明モジュール２００と、前記ラインタイプの照明モジュール２００に電源を供給するとともに、前記ラインタイプの照明モジュール２００を長さ方向にスライディングさせることができるように設けられたトラックハウジング１００を含んで構成される。
【００３１】
前記ラインタイプの照明モジュール２００は、前記トラックハウジング１００に着脱可能に結合するとともに電源の供給を受けて照明光を提供するものである。前記照明モジュール２００の下部には、長さ方向に沿って多数の発光素子（図示せず）が配置され、前記照明モジュールの両側面には、前記発光素子と電気的に連結された接続端子２１０が突出形成される。前記接続端子２１０は、板スプリングの形態からなり、本体部側から突出方向に弾力的に支持されることができる。
【００３２】
また、前記照明モジュール２００の内部には、電源端子１２０を介して印加される電源を発光素子に安定的に供給するための電源供給装置（ＳＭＰＳ；Ｓｗｉｔｃｈｉｎｇ  Ｍｏｄｅ  Ｐｏｗｅｒ  Ｓｕｐｐｌｙ）が内蔵されることができる。
【００３３】
前記トラックハウジング１００は、設置対象面に固定されるか、埋込みまたは懸垂式（ｓｕｓｐｅｎｄｅｄ）など、様々な形態で設置されることができる。前記トラックハウジング１００は、下部が開口されて内部に前記照明モジュール２００が結合することができる収容空間１１１が形成されたフレーム１１０と、前記照明モジュール２００の接続端子２１０に対応する位置に配置される電源端子１２０と、前記電源端子１２０を囲んでフレーム１１０に固定される絶縁部材１３０と、前記絶縁部材の前記照明モジュール２００の接続端子２１０と向かい合う面に長さ方向に形成されて前記電源端子１２０の第１面を露出させる開口溝１３１を含む。前記フレーム１１０は、構造的剛性および軽量化のためにアルミニウムのような軽量金属材質からなることができる。また、前記フレーム１１０の端部に位置する絶縁部材１３０には、前記電源端子１２０の第１面と隣合うか、反対側に位置する電源端子の第２面を露出させる挿入溝１３２が形成される。
【００３４】
前記トラックハウジング１００は、複数のフレーム１１０を一列に連結して必要な長さに延長することができ、そのために、隣合う一対のフレーム１１０の電源端子１２０を電気的に連結するための接続片１４０を含むことができる。前記接続片１４０の電源端子１２０と向かい合う面には、前記電源端子１２０との安定した接続のために接続突起１４１が形成され、電源端子１２０と向かい合う面の中央には、両側の電源端子１２０の間で接続片１４０の位置を固定するための突出顎部１４２が突出形成される。一方、前記接続突起１４１は、後端部が接続片１４０に連結され、先端部は、電源端子１２０に向かって傾斜方向に突出した弾性体の形態でなされることも可能である。
【００３５】
一方、前記トラックハウジング１００の開口には、透光性材質の拡散カバー３００が配置されて、収容空間１１０を閉じるとともに、ラインタイプの照明モジュール２００から提供されるＬＥＤ照明光を柔らかに拡散させることも可能である。
【００３６】
前記のように構成された本発明のラインタイプの照明装置によれば、設置対象面に複数のフレーム１１０を連結設置して、必要な長さのトラックハウジング１００を構成し、前記複数のフレーム１１０の連結部位には、接続片１４０を配置して両側のフレーム１１０の電源端子１２０を電気的に連結することができる。
【００３７】
前記電源端子１２０の第１面は、開口溝１３１を介して収容空間１１１側に露出し、第１面と隣合うか反対側に位置する第２面は、挿入溝１３２を介して露出する。したがって、前記接続片１４０は、両端部が互いに隣合う一対のフレーム１１０の挿入溝１３２にそれぞれ挿入されて両側の電源端子１２０の第２面に接続することによって、両側のフレーム１１０の電源端子１２０を電気的に連結することができる。この際、前記接続片１４０の両端部に形成された接続突起１４１が両側のフレーム１１０の電源端子１２０にそれぞれ接触し、接続片１４０の中央に形成された突出顎部１４２が、両側の電源端子１２０の端部の間に介在して接続片１４０の位置が固定される。特に、電源端子１２０の第１面は、電源端子１２０を囲んでいる絶縁部材１３０の開口溝１３１を介して長さ方向に沿って露出しているため、照明モジュール２００の接続端子２１０が前記電源端子１２０の第１面に接続された状態で開口溝１３１に沿ってスライディングすることができる。
【００３８】
前記照明モジュール２００をトラックハウジング１００の内部収容空間１１１に押し込むと、接続端子２１０の先端部が後述する絶縁部材１３０の開口溝１３１を介して電源端子１２０の第１面に接続するとともに、接続端子２１０と開口溝１３１が互いに噛み合って照明モジュール２００がトラックハウジング１００から任意に離脱することが防止されるので、照明モジュール２００がトラックハウジング１００の収容空間１１１内に結合された状態が維持される。一方、前記接続端子２１０の弾性力より大きな力で収容空間１１１内の照明モジュール２００を収容空間１１１の開口側に引っ張ると、接続端子２１０が開口溝１３１から離脱することになるので、照明モジュール２００をトラックハウジング１００から簡便に分離することも可能である。
【００３９】
また、前記照明モジュール２００の接続端子２１０は、開口溝１３１を介して電源端子１２０に接続した状態で電源端子１２０に向かって弾力的に支持された状態であるので、前記照明モジュール２００の接続端子２１０は、開口溝１３１に沿ってフレーム１１０の長さ方向にスライディングすることができる。
【００４０】
特に、前記電源端子１２０の場合、第２面に配置された接続片１４０により両側のフレーム１１０の電源端子１２０が電気的に連結されているため、互いに隣合う一対のフレーム１１０の連結部位においても、電源端子１２０の第１面と絶縁部材１３０の開口溝１３１の連続性が維持される。したがって、照明モジュール２００の接続端子２１０が互いに隣合う一対のフレーム１１０の連結部位でも、開口溝１３１に沿ってスライディングすることができるため、照明モジュール２００が長さ方向に連結された複数のフレーム１１０に沿って自由にスライディングすることができるようになる。
【００４１】
次に、本発明の第２実施形態に係るラインタイプの照明装置について説明する。
【００４２】
添付図面のうち、図６は本発明の第２実施形態に係るラインタイプの照明装置のトラックハウジングの分解斜視図であり、図７〜図８は本発明の第２実施形態に係るラインタイプの照明装置の主要構成を示す断面図である。
【００４３】
前記図面に示すような本発明の第２実施形態に係るラインタイプの照明装置は、挿入溝１５３が形成された絶縁挿入部材１５０がフレーム１１０の端部で絶縁部材１３０と一列に配置されている点で、前述した第１実施形態と構成の差を有する。
【００４４】
前記トラックハウジング１００を構成する複数のフレーム１１０の端部には、それぞれ絶縁挿入部材１５０を挿入するための挿入空間が設けられ、電源端子１２０は、前記挿入空間内に位置することができるように絶縁部材１３０の端部から突出する。
【００４５】
前記絶縁挿入部材１５０は、絶縁材質からなり、前記フレーム１１０の端部の挿入空間に挿入されるものであって、絶縁部材１３０と向き合う絶縁挿入部材の一側端部には、前記電源端子１２０が挿入される収容溝１５２が形成され、他側端部には、接続片１４０が挿入される挿入溝１５３が形成される。前記収容溝１５２と挿入溝１５３の内側端部には、電源端子１２０または接続片１４０の挿入位置を案内するストッパー１５２ａ、１５３ａがそれぞれ形成される。特に、前記絶縁挿入部材１５０は、前記開口溝１３１に対応する位置に電源端子１２０を露出させる連結溝１５１が長さ方向に形成される。
【００４６】
前記のように構成される本発明の第２実施形態に係るラインタイプの照明装置は、互いに隣合う一対のフレーム１１０の端部にそれぞれ絶縁挿入部材１５０を挿入し、接続片１４０を両側の絶縁挿入部材１５０の挿入溝１５３に挿入すると、接続片１４０の両端部が挿入溝１５３を介して露出する電源端子１２０にそれぞれ接続して両側のフレーム１１０の電源端子１２０を電気的に連結する。
【００４７】
この際、照明モジュール２００の接続端子２１０の移動経路を構成する絶縁部材１３０の開口溝１３１は、絶縁挿入部材１５０の連結溝１５１によりフレーム１１０の連結部位でも連続性が維持されるため、照明モジュール２００が長さ方向に連結された複数のフレーム１１０に沿って自由にスライディングすることができるようになる。
【００４８】
前記のように絶縁挿入部材１５０を別途に構成して挿入溝１５３を形成する場合、絶縁部材１３０が開口溝１３１を除いた残りの領域の電源端子１２０を囲む形態になるため、電源端子１２０をより安定的に支持することができるようになる。
【００４９】
一方、本実施形態においては、一対の絶縁挿入部材１５０が両側のフレーム１１０の端部にそれぞれ挿入され、両側の絶縁挿入部材１５０の挿入溝１５３に接続片１４０の両端部がそれぞれ挿入されて、両側のフレーム１１０の電源端子１２０を連結するものとして例をあげて説明したが、一対の絶縁挿入部材１５０を一体に構成し、絶縁挿入部材１５０の内部に接続片１４０を挿入した状態で、絶縁挿入部材１５０の両端部を両側のフレーム１１０の挿入空間にそれぞれ挿入することによって、両側の電源端子１２０を電気的に連結することも可能である。
【００５０】
添付図面のうち、図９は本発明の第３実施形態に係るラインタイプの照明装置の断面図である。
【００５１】
前述の第１実施形態と第２実施形態においては、照明モジュール２００の接続端子２１０が両側面に配置され、接続端子２１０に対応する電源端子１２０がトラックハウジング１００の収容空間１１１の両側面に配置されるものとして例をあげて説明したが、図９に示すように、照明モジュール２００の上側面に接続端子２１０を形成し、前記照明モジュール２００の上側面と向き合うトラックハウジング１００の収容空間１１１内部の上側面に電源端子１２０と絶縁部材１３０および開口溝１３１を長さ方向に配置して、電源端子１２０の第２面に挿入溝１３２と接続片１４０を配置することも可能である。
【００５２】
また、前記第１実施形態と第２実施形態においては、照明モジュール２００とトラックハウジング１００の結合が接続端子２１０と開口溝１３１との結合によってなされるものとして例をあげて説明したが、照明モジュール２００とトラックハウジング１００の互いに向かい合う面に相互引力が作用する一対の永久磁石を配置するか、永久磁石Ｍ１と前記永久磁石が磁力によってくっつく金属板Ｍ２を配置して、永久磁石の磁力によって照明モジュール２００がトラックハウジング１００に結合されるようにすることも可能である。
【００５３】
本発明の権利範囲は、前述した実施形態に限定されるものではなく、添付した特許請求の範囲内で様々な形態の実施形態で具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【符号の説明】
【００５４】
１００：トラックハウジング              
１１０：フレーム
１１１：収容空間                        
１２０：電源端子
１３０：絶縁部材                        
１３１：開口溝
１３２：挿入溝                  
１４０：接続片
１４１：接続突起                        
１４２：突出顎部
１５０：絶縁挿入部材            
１５１：連結溝
１５２：収容溝                  
１５２ａ：ストッパー
１５３：挿入溝                  
１５３ａ：ストッパー
２００：照明モジュール          
２１０：接続端子
３００：拡散カバー
【図１】
2016127027.tif 000003
【図２】
2016127027.tif 000004
【図３】
2016127027.tif 000005
【図４】
2016127027.tif 000006
【図５】
2016127027.tif 000007
【図６】
2016127027.tif 000008
【図７】
2016127027.tif 000009
【図８】
2016127027.tif 000010
【図９】
2016127027.tif 000011